(57)【要約】【課題】ネズミ捕獲用の粘着シート上に載置するためのネズミ誘引餌であって、高い誘引効果が長期間持続するものを提供する。【解決手段】ネズミ誘引餌１は、無毒餌であり、乾燥微粉状の誘引餌本体２を、通気性を有する和紙の袋３に封入したものである。誘引餌本体２の成分として、主誘引成分である、小麦粉、トウモロコシ粉、甘藷でんぷん、米ぬか、米粉及びパン粉及び砂糖を含む。また、副誘引成分である、魚粉及び肉粉のうち少なくともいずれかを含む。また、精油由来誘引成分である、カナリアシード、ひまわりシード、粟、ヒエ、コーリャンを含む。また、誤食防止成分であるトウガラシ末を含む。また、変質防止成分であるスミスリン粉剤等の殺虫剤を含む。【選択図】図２
0003163705.tif 000002
【実用新案登録請求の範囲】
【請求項１】
ネズミ捕獲用の粘着シート上に載置するためのネズミ誘引餌であって、
小麦粉及びトウモロコシ粉を少なくとも含む主誘引成分と、
魚粉及び肉粉のうち少なくともいずれかからなる副誘引成分と、
カナリアシード、ひまわりシード、粟、ヒエ、コーリャンのうち少なくともいずれかを混合した乾燥微粉状の誘引餌本体を、通気性を有する和紙の袋に封入してなることを特徴とするネズミ誘引餌。
【請求項２】
前記主誘引成分には甘藷でんぷん、米ぬか、米粉、パン粉及び砂糖を更に含むことを特徴とする請求項１に記載のネズミ誘引餌。
【請求項３】
前記誘引餌本体には誤食防止成分であるトウガラシ末が更に含まれることを特徴とする請求項１又は２に記載のネズミ誘引餌。
【請求項４】
前記誘引餌本体には変質防止成分である殺虫剤が更に含まれることを特徴とする請求項１乃至３のいずれか１項に記載のネズミ誘引餌。
【請求項５】
前記副誘引成分の配合量は、前記誘引餌本体の全体量に対して重量比で２％以下であることを特徴とする請求項１乃至４のいずれか１項に記載のネズミ誘引餌。
【考案の詳細な説明】
【技術分野】
【０００１】
本考案は、ネズミ捕獲用の粘着シート上に載置するためのネズミ誘引餌に関する。
【背景技術】
【０００２】
特許文献１等にあるように、台紙上に粘着剤を設けてなるネズミ捕獲用の粘着シートが各種提案されており、シート状のものやハウス状のもの等、広く実用化されている。このようなネズミ捕獲用の粘着シートを使用する場合、捕獲効果を高めるにはネズミを誘引することが必要である。多くの場合、粘着シート単体が販売されており、粘着シート上に、家庭にあるチーズ、ソーセージ、さつまいも等の食品を載置しているのが実情である。
【先行技術文献】
【特許文献】
【０００３】
【特許文献１】特開２００３−１３１号公報
【考案の概要】
【考案が解決しようとする課題】
【０００４】
しかしながら、チーズ、ソーセージ、さつまいも等の食品は数日程度で変質（腐敗したり、虫が発生したりする）して、誘引効果が薄れてしまう。また、ネズミは雑食であり、単一の食品だけでは十分に喫食させることができず、高い誘引効果があるとはいえなかった。
【０００５】
本考案は上記のような点に鑑みてなされたものであり、ネズミ捕獲用の粘着シート上に載置するためのネズミ誘引餌であって、高い誘引効果が長期間持続するものを提供することを目的とする。
【課題を解決するための手段】
【０００６】
本考案のネズミ誘引餌は、ネズミ捕獲用の粘着シート上に載置するためのネズミ誘引餌であって、小麦粉及びトウモロコシ粉を少なくとも含む主誘引成分と、魚粉及び肉粉のうち少なくともいずれかからなる副誘引成分と、カナリアシード、ひまわりシード、粟、ヒエ、コーリャンのうち少なくともいずれかを混合した乾燥微粉状の誘引餌本体を、通気性を有する和紙の袋に封入してなることを特徴とする。
また、本考案のネズミ誘引餌の他の特徴とするところは、前記主誘引成分には甘藷でんぷん、米ぬか、米粉、パン粉及び砂糖を更に含む点にある。
また、本考案のネズミ誘引餌の他の特徴とするところは、前記誘引餌本体には誤食防止成分であるトウガラシ末が更に含まれる点にある。
また、本考案のネズミ誘引餌の他の特徴とするところは、前記誘引餌本体には変質防止成分である殺虫剤が更に含まれる点にある。
また、本考案のネズミ誘引餌の他の特徴とするところは、前記副誘引成分の配合量は、前記誘引餌本体の全体量に対して重量比で２％以下である点にある。
【考案の効果】
【０００７】
本考案によれば、乾燥微粉状の誘引餌本体が袋に封入されてパッケージ化されており、そのパッケージ化されたものを粘着シート上の所望の位置に載置するだけでよいので、取り扱いが非常に容易である。しかも、誘引餌本体には複数の誘引成分がバランス良く配合されており、また、通気性を有する和紙を使用することにより、乾燥微粉状の誘引餌本体が少量ずつ外部に漏れ出るので、高い誘引効果が得られる。更に、乾燥微粉状となっているので、チーズ、ソーセージ、さつまいも等の食品に比べると格段に変質しにくく、誘引効果が長期間持続する。
【図面の簡単な説明】
【０００８】
【図１】本考案の実施形態に係るネズミ誘引餌の斜視図である。
【図２】本考案の実施形態に係るネズミ誘引餌の構成を示す図である。
【図３】本考案の実施形態に係るネズミ誘引餌の袋を示す図である。
【図４】本考案の実施形態に係るネズミ誘引餌の使用状態を示す図である。
【考案を実施するための形態】
【０００９】
以下、添付図面を参照して、本考案の好適な実施形態について説明する。
図１、２には、本実施形態に係るネズミ誘引餌１を示す。本実施形態に係るネズミ誘引餌１は、無毒餌であり、乾燥微粉状の誘引餌本体２を、通気性を有する和紙の袋３に封入したものである。
【００１０】
本考案を適用するネズミ誘引餌１は、ネズミ捕獲用の粘着シートに載置することを目的とするものであり、袋３の大きさは縦横それぞれ数ｃｍ程度、乾燥微粉状の誘引餌本体２の量は数〜数十ｇ程度である。
【００１１】
ここで、誘引餌本体２の成分について説明すると、主誘引成分である、小麦粉、トウモロコシ粉、甘藷でんぷん、米ぬか、米粉及びパン粉及び砂糖を含む。また、副誘引成分である、魚粉及び肉粉のうち少なくともいずれかを含む。この場合に、副誘引成分の配合量は、試験を重ねた結果、誘引餌本体２の全体量に対して重量比で２．０％以下、好ましくは０．５〜１．５％程度とするのが好適である。副誘引成分が誘引餌本体２の全体量に対して２．０％を超えると、不自然な臭いになって、逆に忌避作用がでてしまうおそれがある。
【００１２】
また、精油由来誘引成分である、カナリアシード、ひまわりシード、粟、ヒエ、コーリャンのいずれかを含む。また、誤食防止成分であるトウガラシ末を含む。また、変質防止成分であるスミスリン粉剤等の殺虫剤を含む。
【００１３】
誘引餌本体２は、上述した主誘引成分、副誘引成分、精油由来誘引成分、誤食防止成分及び変質防止成分を混合して乾燥微粉状にしたものである。和紙の袋３は、例えば図３に示すように、矩形状の和紙を二つ折りにして、三辺３ａ〜３ｃにおいて、辺同士が接着剤を介して熱圧着により閉じられる。なお、袋３の表面に、例えば「たべられません」等のように誤食防止のための注意書きを印刷等しておいてもよい。
【００１４】
以上のようにしたネズミ誘引餌１は、乾燥微粉状の誘引餌本体２が袋３に封入されてパッケージ化されており、図４に示すように、そのパッケージ化されたものを粘着シート１００上の所望の位置に載置するだけでよいので、取り扱いが非常に容易である。
【００１５】
しかも、誘引餌本体２には複数の誘引成分がバランス良く配合されており、また、通気性を有する和紙３を使用することにより、乾燥微粉状の誘引餌本体２が少量ずつ外部に漏れ出るので、高い誘引効果が得られる。更に、誘引餌本体２が変質防止成分を含み、乾燥微粉状となっているので、チーズ、ソーセージ、さつまいも等の食品に比べると格段に変質しにくく、誘引効果が長期間持続する。
【００１６】
（実施例１）
一つのケージ内に、本実施形態に係るネズミ誘引餌（誘引餌本体２．５ｇ）と、さつまいもとをそれぞれトレーに置き、ケージにクマネズミを放して、３時間経過後に喫食量を測定した。この試験を５匹のクマネズミについて行った。クマネズミは２４時間絶食させたものを使用した。その結果を表１に示す。
【００１７】
【表１】
0003163705.tif 000003
【００１８】
表１に示すように、クマネズミ２〜５において、さつまいもに比べてネズミ誘引餌の方が喫食量が多く、ネズミ誘引餌の方が誘引効果が高いことが実証された。なお、クマネズミ１についても、ネズミ誘引餌をくわえてトレー外に出しており、さつまいもには変化がないことから、ネズミ誘引餌の方が誘引効果が高いといえる。
【００１９】
同様に、一つのケージ内に、本実施形態に係るネズミ誘引餌（誘引餌本体２．５ｇ）と、チーズとをそれぞれトレーに置き、ケージにクマネズミを放して、３時間経過後に喫食量を測定した。この試験を５匹のクマネズミについて行った。クマネズミは２４時間絶食させたものを使用した。その結果を表２に示す。
【００２０】
【表２】
0003163705.tif 000004
【００２１】
表２に示すように、クマネズミ１〜５のいずれにおいても、チーズに比べてネズミ誘引餌の方が喫食量が多く、ネズミ誘引餌の方が誘引効果が高いことが実証された。
【００２２】
同様に、一つのケージ内に、本実施形態に係るネズミ誘引餌（誘引餌本体２．５ｇ）と、ソーセージとをそれぞれトレーに置き、ケージにクマネズミを放して、３時間経過後に喫食量を測定した。この試験を５匹のクマネズミについて行った。クマネズミは２４時間絶食させたものを使用した。その結果を表３に示す。
【００２３】
【表３】
0003163705.tif 000005
【００２４】
表３に示すように、クマネズミ１〜５のいずれにおいても、ソーセージに比べてネズミ誘引餌の方が喫食量が多く、ネズミ誘引餌の方が誘引効果が高いことが実証された。
【００２５】
（実施例２）
一つのケージ内に、本実施形態に係るネズミ誘引餌と、本実施形態に係るネズミ誘引餌とは副誘引成分を含まない点で異なるネズミ誘引餌とをそれぞれトレーに置き、ケージにクマネズミを放して、初回誘引までの時間を測定した。なお、本実施形態に係るネズミ誘引餌では、副誘引成分として魚粉を使用した。この試験を５匹のクマネズミについて行った。クマネズミは２４時間絶食させたものを使用した。その結果を表４に示す。
【００２６】
【表４】
0003163705.tif 000006
【００２７】
表４では、最初に誘引効果が認められたものに○をつけている。例えばクマネズミ１は、本実施形態に係るネズミ誘引餌（魚粉あり）の方に最初に誘引されており、誘引にかかった時間は１３分３７秒であった。クマネズミ１、３〜５において、本実施形態に係るネズミ誘引餌（魚粉あり）の方に最初に誘引されており、副誘引成分を含むことにより誘引効果が高くなることが実証された。
【符号の説明】
【００２８】
１：ネズミ誘引餌
２：誘引餌本体
３：和紙の袋
【図１】
0003163705.tif 000007
【図２】
0003163705.tif 000008
【図３】
0003163705.tif 000009
【図４】
0003163705.tif 000010